(57)【要約】【課題】  電源起動時に、無駄な消費電力を抑える技術を提供する。【解決手段】  画像形成装置において、画像形成装置の電源オフ状態から電源供給をするための指示を検知した場合、電源状態の遷移設定情報に基づいて、電源オフ状態から、スタンバイ状態に遷移して起動するか、あるいは、スリープ状態に遷移して起動するかを制御する。【選択図】  図４
2015229334.tif 000002
【特許請求の範囲】
【請求項１】
画像形成装置において、
前記画像形成装置の電源オフ状態から電源供給をするための指示を検知する検知手段と
前記検知手段で、前記画像形成装置の電源供給をするための指示を検知した場合、電源状態の遷移設定情報に基づいて、電源オフ状態から、スタンバイ状態に遷移して起動するか、あるいは、スリープ状態に遷移して起動するかを制御する制御手段を有することを特徴とする画像形成装置。
【請求項２】
前記電源状態の遷移設定情報を設定する設定手段を有することを特徴とする請求項１に記載の画像形成装置。
【請求項３】
前記画像形成装置の障害発生、あるいは、障害解消を検知する障害検知手段を有し、
前記設定手段は、前記障害検知手段において検知した障害発生、あるいは、障害解消に基づいて、前記電源状態の遷移設定情報を設定することを特徴とする請求項２に記載の画像形成装置。
【請求項４】
ジョブログ数を管理するジョブ管理手段を有し、
前記設定手段は、前記ジョブ管理手段において管理されているジョブログ数に基づいて、前記電源状態の遷移設定情報を設定することを特徴とする請求項２に記載の画像形成装置。
【請求項５】
前記画像形成装置の消費電力値を取得する取得手段を有し、
前記設定手段は、前記取得手段において取得した消費電力値に基づいて、前記電源状態の遷移設定情報を設定することを特徴とする請求項２に記載の画像形成装置。
【請求項６】
前記画像形成装置の設定変更を検知する変更検知手段を有し、
前記設定手段は、前記変更検知手段において検知した設定変更に基づいて、前記電源状態の遷移設定情報を設定することを特徴とする請求項２に記載の画像形成装置。
【請求項７】
前記画像形成装置のオプション機器が接続されたことを検知する接続検知手段を有し、
前記設定手段は、前記接続検知手段における検知に基づいて、前記電源状態の遷移設定情報を設定することを特徴とする請求項２に記載の画像形成装置。
【請求項８】
前記電源状態の遷移設定情報を受信する受信手段を有することを特徴とする請求項１に記載の画像形成装置。
【請求項９】
画像形成装置の制御方法であって、
検知手段が、前記画像形成装置の電源オフ状態から電源供給をするための指示を検知する検知工程と、
制御手段が、前記検知工程で、前記画像形成装置の電源供給をするための指示を検知した場合、電源状態の遷移設定情報に基づいて、電源オフ状態から、スタンバイ状態に遷移して起動するか、あるいは、スリープ状態に遷移して起動するかを制御する制御工程を有することを特徴とする画像形成装置の制御方法。
【請求項１０】
設定手段が、前記電源状態の遷移設定情報を設定する設定工程を有することを特徴とする請求項９に記載の画像形成装置の制御方法。
【請求項１１】
画像形成装置と管理装置からなるシステムにおいて、
前記画像形成装置は、
前記画像形成装置の電源オフ状態から電源供給をするための指示を検知する検知手段と
前記検知手段で、前記画像形成装置の電源供給をするための指示を検知した場合、電源状態の遷移設定情報に基づいて、電源オフ状態から、スタンバイ状態に遷移して起動するか、あるいは、スリープ状態に遷移して起動するかを制御する制御手段を有し、
前記管理装置は、
前記電源状態の遷移設定情報を設定する設定手段を有することを特徴とするシステム。
【請求項１２】
前記管理装置は、前記画像形成装置の障害発生、あるいは、障害解消を検知する障害検知手段を有し、
前記設定手段は、前記障害検知手段において検知した障害発生、あるいは、障害解消に基づいて、前記電源状態の遷移設定情報を設定することを特徴とする請求項１１に記載のシステム。
【請求項１３】
前記管理装置は、ジョブログ数を管理するジョブ管理手段を有し、
前記設定手段は、前記ジョブ管理手段において管理されているジョブログ数に基づいて、前記電源状態の遷移設定情報を設定することを特徴とする請求項１１に記載のシステム。
【請求項１４】
前記管理装置は、前記画像形成装置の消費電力値を管理する管理手段を有し、
前記設定手段は、前記管理手段で管理されている消費電力値に基づいて、前記電源状態の遷移設定情報を設定することを特徴とする請求項１１に記載のシステム。
【請求項１５】
コンピュータを、請求項１乃至８の何れか１項に記載の画像形成装置が有する各手段と
して機能させるためのプログラム。
【請求項１６】
請求項１５に記載のプログラムを格納した、コンピュータが読み取り可能な記憶媒体。
【発明の詳細な説明】
【技術分野】
【０００１】
本発明は、画像形成装置における起動制御を行う仕組みに関するものである。
【背景技術】
【０００２】
近年、プリンタや複写機等の画像形成装置における省電力化を求める声が高まっており、省エネに関わる要件は、重要なものとなっている。従来の画像形成装置は、通常電源を立ち上げた際に、印刷が即時可能な状態（スタンバイ状態）に移行させ、一定期間機器が使用されない場合には、通電するコンポーネントを制限し、スリープ状態に遷移させることが知られている（特許文献１参照）。
【先行技術文献】
【特許文献】
【０００３】
【特許文献１】特開２０１２−２２９０７７号公報
【発明の概要】
【発明が解決しようとする課題】
【０００４】
しかしながら、カメラやテレビ、パソコン等の機器と比べ、電源を立ち上げたとしても、すぐに画像形成装置を使用するケースはあまり多くないと考えられる。例えば、始業時間に合わせて電源を入れるが、朝の会議やメールチェック等の作業で、実際にドキュメントをプリントしたりするのは、始業から３０分後くらいだったりすることも多い。そのようなケースでは、電源を立ち上げてからスタンバイ状態に遷移し、その後スリープ状態に遷移され、印刷等が実行されるタイミングで、再度スタンバイ状態に遷移することになり、消費電力が増大してしまう。そのため、省電力化という観点からは望ましくない。
本発明は、上述の問題点に鑑みなされたものであり、電源起動時に、無駄な消費電力を抑える技術を提供することを目的としている。
【課題を解決するための手段】
【０００５】
上記の課題を解決するために、本発明の画像形成装置は以下の構成を備える。すなわち、画像形成装置において、前記画像形成装置の電源オフ状態から電源供給をするための指示を検知する検知手段と前記検知手段で、前記画像形成装置の電源供給をするための指示を検知した場合、電源状態の遷移設定情報に基づいて、電源オフ状態から、スタンバイ状態に遷移して起動するか、あるいは、スリープ状態に遷移して起動するかを制御する制御手段を有することを特徴とする。
【発明の効果】
【０００６】
本発明により、電源起動時に、無駄な消費電力を抑えることができる。
【図面の簡単な説明】
【０００７】
【図１】本発明の実施形態を示すシステムの全体図
【図２】画像形成装置１００のブロック図
【図３】遷移設定画面の一例
【図４】画像形成装置の起動時における処理のフローチャート
【図５】第１の実施形態における遷移設定の変更処理のフローチャート
【図６】第２の実施形態における遷移設定の変更処理のフローチャート
【図７】第１の実施形態の変形例１における遷移設定の変更処理のフローチャート
【図８】第１の実施形態の変形例２における遷移設定の変更処理のフローチャート
【図９】第１の実施形態の変形例３における遷移設定の変更処理のフローチャート
【図１０】第１の実施形態の変形例４における遷移設定の変更処理のフローチャート
【図１１】第２の実施形態の変形例１における遷移設定の変更処理のフローチャート
【図１２】第２の実施形態の変形例２における遷移設定の変更処理のフローチャート
【図１３】管理装置１０１のブロック図
【発明を実施するための形態】
【０００８】
次に本発明を実施するための最良の形態について図面を参照して説明する。
【０００９】
［第１の実施形態］
図１は、本発明の実施形態を示すシステムの全体図である。
【００１０】
１００はプリンタ、複写機等の画像形成装置である。通常は、ネットワーク１０２等を介して、ホストコンピュータから印刷データを受信して印刷等を行う。１０１は、画像形成装置１００の稼働状況等を管理する管理装置（情報処理装置）である。複数の画像形成装置１００と管理装置１０１がネットワーク１０２を介して接続している。
【００１１】
図２（ａ）は、画像形成装置１００の内部構成の一例を示すブロック図である。
【００１２】
ＣＰＵ２０１はＲＯＭ２０２もしくはハードディスク（ＨＤＤ）２０５に記憶された画像形成装置全体の制御を行うソフトウェアを実行し、システムバス２０６に接続する各デバイスを統括的に制御する。ＲＡＭ２０３は、ＣＰＵ２０１のワークエリア等として機能する。ＨＤＣ２０４はＨＤＤ２０５を制御するハードディスクコントローラである。リーダＩ／Ｆ２０７及びプリンタＩ／Ｆ２０８は、それぞれリーダ部２１２及びプリンタ部２１３に接続され、これらデバイスを制御する。操作部Ｉ／Ｆ２０９は操作部２１４に接続され、操作部２１４への表示や、操作部２１４からのユーザー入力を制御する。２１４は操作部であり、操作のためのボタン及び表示部等より構成される。スイッチＩ／Ｆ２１０はスイッチ部２１５に接続され、スイッチ部からの操作を制御する。２１５はスイッチ部であり、操作のためのスイッチ等により構成される。２１６はネットワークインターフェースガード（ＮＩＣ）で、ネットワーク２１７を介してホストコンピュータ等の外部装置とデータのやりとりをする。ここで、図中破線で囲まれた部分を全体制御部２１１と呼ぶことにする。全体制御部２１１は、画像形成装置に接続された各種装置及びインターフェースを制御すると共に、画像形成装置全体の動作を制御する部分である。リーダ部２１２は原稿の画像を読み取り、ユーザーからの指示により、その原稿画像に応じた画像データを、プリンタ部２１３に出力する、或いは、画像形成装置の記憶部２０５に保存する。更に、ネットワークＩ／Ｆ２１６を介してネットワーク２１７に接続されたホストコンピュータに画像データを送信することも可能である。プリンタ部２１３は、リーダ部２１２により読み取られた原稿や、画像形成装置本体内の記憶部２０５に格納された画像データを印刷する。更に、ネットワーク２１７に接続されたホストコンピュータからの印刷ジョブを、ネットワークＩ／Ｆ部２１６を介して受信し、印刷する。ネットワークＩ／Ｆ部２１６は、ネットワーク２１７を介して接続され、全体制御部２１１が、ネットワーク２１７上の他の情報機器と相互通信するために用いられる。操作部２１４は、ボタン及び表示装置、或いは、タッチパネル入力付き液晶表示画面、或いはその組み合わせにより、全体制御部２１１からのユーザーへの情報表示や、ユーザーの入力を全体制御部２１１へと通知する。スイッチ部２１５は、全体制御部２１１の電源状態を制御する。
【００１３】
図２（ｂ）は、画像形成装置１００の機能構成の一例を示すブロック図である。
【００１４】
インターフェース部３０１は、ネットワーク等を介して、ホストコンピュータ等の外部機器と接続を行う。スイッチ管理部３０２は、ユーザーによってスイッチ部２１５が操作されたことを検知する。電源管理部３０３は、画像形成装置１００の起動制御を行う。また電源ＯＦＦからの起動では、画像形成装置１００の全デバイスに電力供給を行う状態（スタンバイ状態）か、初期設定を行い必要最低限のデバイスのみ電力供給を行う状態（スリープ状態）のどちらに状態遷移させるかを判定し、どちらかの状態に状態遷移させる。遷移設定部３０４は、画像形成装置の状態等に応じて電源状態の遷移設定の変更等を行う。障害検知部３０５は、画像形成装置内で発生した障害を検知する。また障害が解消されたことも検知する。障害管理部３０６は、発生した障害を解消するために、画像形成装置を再起動後、スタンバイ状態まで遷移させる必要があるか否かを判定する。
【００１５】
ジョブ管理部３０７は、画像形成装置が処理したジョブ数の管理や、カウントしたジョブ数と既定値との比較を行う。電力管理部３０８は、画像形成装置のＬｉｆｅｔｉｍｅ消費電力の取得や前回取得値との比較等を行う。Ｌｉｆｅｔｉｍｅ消費電力は、”ＰＷＧ  Ｉｍａｇｉｎｇ  Ｓｙｓｔｅｍ  Ｐｏｗｅｒ  ＭＩＢ”で定義されている値で、システム本体や各ユニットのライフタイムの消費電力を示す値である。”ＰＷＧ  Ｉｍａｇｉｎｇ  Ｓｙｓｔｅｍ  Ｐｏｗｅｒ  ＭＩＢ”とは、Ｔｈｅ  Ｐｒｉｎｔｅｒ  Ｗｏｒｋｉｎｇ  Ｇｒｏｕｐで標準化されたＭＩＢの規格である。変更検知部３０９は、ネットワーク設定等、画像形成装置を一度スタンバイ状態に遷移させないと反映されないような各種モードの設定に変更があったか否かを検知する。設定管理部３１０は、変更された設定を反映させるために、画像形成装置を再起動後、スタンバイ状態まで遷移させる必要があるか否かを判定する。
【００１６】
接続検知部３１１は、オプション機器等が画像形成装置本体に接続されたか否かを検知する。機器管理部３１２は、機器の構成情報を取得したり、取得した情報をもとに各種設定を行う。ＵＩ制御部３１３は、画像形成装置のＵＩパネル等から操作された事象を検知し、別画面への遷移処理や設定された情報等を管理する。送受信部３１４は、ネットワーク１０２を介して、管理装置１０１と、データの送受信を行う。
【００１７】
図４は、画像形成装置１００の起動時における処理の一例を示すフローチャートである。
【００１８】
Ｓ４０１において、スイッチ管理部３０２は、ユーザーによってスイッチ操作が行われ、電源オフ状態から電源供給するための指示を検知したかを判定する。電源供給するための指示を検知したと判定された場合には、Ｓ４０２に処理を進める。Ｓ４０２において、電源管理部３０３は、電源状態の遷移設定情報を取得する。電源状態の遷移設定情報は、画像形成装置１００が、電源オフ状態から起動する際、スリープ状態に遷移して起動するのか、スタンバイ状態に起動するのかを示す情報である。Ｓ４０３において、電源管理部３０３は、電源状態の遷移設定情報を取得し、取得した情報に基づいて、スタンバイ状態に起動するのか、スリープ状態に起動するのかを判定する。スタンバイ状態に起動する場合には、Ｓ４０４に処理を進める。一方、スリープ状態に起動する場合には、Ｓ４０５に処理を進める。Ｓ４０４において、電源管理部３０３は、電源状態の遷移設定情報に基づき、スタンバイ状態に起動する。Ｓ４０５において、電源管理部３０３は、電源状態の遷移設定情報に基づき、スリープ状態に起動する。
【００１９】
図５は、電源状態の遷移設定を変更する処理を示すフローチャートである。具体的には、障害発生と障害解消の際に、電源状態の遷移設定を変更するフローチャートである。
【００２０】
Ｓ５０１において、障害検知部３０５は、画像形成装置内で障害（例えば、紙詰まりやトナー切れ、サービスコールエラー等）が発生したか否かを検知する。また障害発生を検知した場合には、Ｓ５０２に処理を進める。Ｓ５０２において、遷移設定部３０４は、現在の電源状態の遷移設定がスリープ状態に遷移する設定になっているか否かを判定する。スリープ状態に遷移する設定になっていると判定すれば、Ｓ５０３に処理を進める。Ｓ５０３において、障害管理部３０６は、Ｓ５０１で検知した障害が、画像形成装置を再起動後、スタンバイ状態に遷移させる必要がある障害か否かを判定する。判定方法としては、あらかじめスタンバイ状態に遷移させる必要がある障害のコード一覧を保持しておき、発生した障害のコードと保持してあるコード一覧の情報を比較する。スタンバイ状態に遷移させる必要があると判定された場合には、Ｓ５０４に処理を進める。Ｓ５０４において、遷移設定部３０４は、電源状態の遷移設定をスタンバイ状態に遷移させるよう変更する。Ｓ５０５において、遷移設定部３０４は、ＨＤＤやメモリ等の記憶部に障害発生フラグを設定する。
【００２１】
Ｓ５０６において、障害検知部３０５は、画像形成装置内で発生していた障害が解消したか否かを検知する。障害が解消されたことを検知した場合には、Ｓ５０７に処理を進める。Ｓ５０７において、遷移設定部３０４は、障害発生フラグが設定されているか否かを判定する。障害発生フラグが設定されていると判定した場合には、Ｓ５０８に処理を進める。Ｓ５０８において、遷移設定部３０４は、電源状態の遷移設定をスリープ状態に遷移させるよう変更する。Ｓ５０９において、遷移設定部３０４は、記憶部に保存されている障害発生フラグを削除する。
【００２２】
以上示したように、画像形成装置で発生した障害によっては、再起動後、スタンバイ状態まで遷移させなければ解消されない障害がある。そのような場合、電源状態の遷移設定がスリープ状態に遷移するものになっていた場合、画像形成装置を再起動後、スリープ状態に遷移してしまうため、すぐに障害を解消することができない。発生した障害に応じて電源状態の遷移設定を動的に変更することで、この問題を解決することができる。
【００２３】
＜変形例１＞
電源状態の遷移設定を変更する処理の別の例を説明する。第１の実施形態の変形例１では、画像形成装置の使用状況によって、電源状態の遷移設定を変更する例を説明する。
【００２４】
図７は、電源状態の遷移設定を変更する処理を示すフローチャートである。
【００２５】
Ｓ７０１において、ジョブ管理部３０７は、一日のうちに発生したジョブ数をカウントするために、何かしらのジョブが発生したことを検知する。ジョブが発生したと検知した場合には、Ｓ７０２に処理を進める。Ｓ７０２において、ジョブ管理部３０７は、発生したジョブ数をカウントする。Ｓ７０３において、ジョブ管理部３０７は、カウンタ値がＨＤＤやメモリ等の記憶部に保存されているか否かをチェックする。カウンタ値が保存されていると判定した場合には、Ｓ７０４に処理を進める。Ｓ７０４において、ジョブ管理部３０７は、新たにカウントした値と既に保存されているカウンタ値を合算し、一日に発生したジョブ数をカウントしていく。Ｓ７０５において、ジョブ管理部３０７は、カウンタ値をＨＤＤやメモリ等の記憶部に保存する。Ｓ７０６において、ジョブ管理部３０７は、あらかじめ定めておいた既定値と保存されているカウンタ値の比較タイミング（例えば、一日一回等）か否かを判定する。比較タイミングと判定した場合には、Ｓ７０７に処理を進める。
【００２６】
Ｓ７０７において、ジョブ管理部３０７は、あらかじめ定めておいた既定値と保存されているカウンタ値（一日に発生したジョブ総数）を比較する。比較した結果、保存されているカウンタ値が既定値よりも小さいと判定した場合には、Ｓ７０８に処理を進める。一方、保存されているカウンタ値が既定値以上と判定した場合には、Ｓ７１０に処理を進める。Ｓ７０８において、遷移設定部３０４は、現在の電源状態の遷移設定がスタンバイ状態に遷移するものなのか否かを判定する。スタンバイ状態に遷移するものであると判定した場合には、Ｓ７０９に処理を進める。一方、スタンバイ状態に遷移するものでないと判定した場合には、Ｓ７１２に処理を進める。Ｓ７０９において、遷移設定部３０４は、電源状態の遷移設定をスリープ状態に遷移するものに変更する。Ｓ７１０において、遷移設定部３０４は、現在の電源状態の遷移設定がスリープ状態に遷移するものなのか否かを判定する。スリープ状態に遷移するものであると判定した場合には、Ｓ７１１に処理を進める。一方、スリープ状態に遷移するものでないと判定した場合には、Ｓ７１２に処理を進める。Ｓ７１１において、遷移設定部３０４は、電源状態の遷移設定をスタンバイ状態に遷移するものに変更する。Ｓ７１２において、ジョブ管理部３０７は、記憶部に保存されているカウンタ値を削除する。
【００２７】
以上示したように、画像形成装置の使用状況によって、電源状態の遷移設定を動的に変更することで、無駄な消費電力を削減することが可能になる。
【００２８】
＜変形例２＞
電源状態の遷移設定を変更する処理の別の例を説明する。第１の実施形態の変形例２では、画像形成装置の電力状況によって、電源状態の遷移設定を変更する例を説明する。
【００２９】
図８は、電源状態の遷移設定を変更する処理を示すフローチャートである。
【００３０】
Ｓ８０１において、電力管理部３０８は、Ｌｉｆｅｔｉｍｅ消費電力値取得タイミングか否かを判定する。取得タイミングと判定した場合には、Ｓ８０２に処理を進める。Ｓ８０２において、電力管理部３０８は、Ｌｉｆｅｔｉｍｅ消費電力値を取得する。Ｓ８０３において、電力管理部３０８は、取得したＬｉｆｅｔｉｍｅ消費電力値とあらかじめ定めておいた既定値とを比較する。その結果、取得したＬｉｆｅｔｉｍｅ消費電力値が既定値よりも小さいと判定した場合には、Ｓ８０４に処理を進める。一方、取得したＬｉｆｅｔｉｍｅ消費電力値が既定値以上と判定した場合には、Ｓ８０６に処理を進める。
【００３１】
Ｓ８０４において、遷移設定部３０４は、現在の電源状態の遷移設定がスタンバイ状態に遷移するものなのか否かを判定する。スタンバイ状態に遷移するものであると判定した場合には、Ｓ８０５に処理を進める。Ｓ８０５において、遷移設定部３０４は、電源状態の遷移設定をスリープ状態に遷移するものに変更する。Ｓ８０６において、遷移設定部３０４は、現在の電源状態の遷移設定がスリープ状態に遷移するものなのか否かを判定する。スリープ状態に遷移するものであると判定した場合には、Ｓ８０７に処理を進める。Ｓ８０７において、遷移設定部３０４は、電源状態の遷移設定をスタンバイ状態に遷移するものに変更する。
【００３２】
以上示したように、画像形成装置の電力状況によって、電源状態の遷移設定を動的に変更することで、無駄な消費電力を削減することが可能になる。
【００３３】
＜変形例３＞
電源状態の遷移設定を変更する処理の別の例を説明する。第１の実施形態の変形例３では、設定変更によって、電源状態の遷移設定を変更する例を説明する。
【００３４】
図９は、電源状態の遷移設定を変更する処理を示すフローチャートである。
【００３５】
Ｓ９０１において、変更検知部３０９は、各種モード（ユーザモードやサービスモード等）の設定（例えば、ネットワーク設定等）に変更があるか否かを検知する。ここで設定変更を検知した場合には、Ｓ９０２に処理を進める。Ｓ９０２において、遷移設定部３０４は、現在の電源状態の遷移設定がスリープ状態に遷移する設定になっているか否かを確認する。スリープ状態に遷移する設定になっていると判定すれば、Ｓ９０３に処理を進める。Ｓ９０３において、設定管理部３１０は、Ｓ９０１で検知した変更された設定が、画像形成装置を再起動後、スタンバイ状態に遷移させる必要がある設定か否かを判定する。判定方法としては、あらかじめ、設定変更時スタンバイ状態に遷移させる必要がある設定の一覧を保持しておき、ユーザーによって変更された設定とそれら設定一覧に保持されている設定を比較する。スタンバイ状態に遷移させる必要があると判定した場合には、Ｓ９０４に処理を進める。Ｓ９０４において、遷移設定部３０４は、電源状態の遷移設定をスタンバイ状態に遷移させるよう変更する。Ｓ９０５において、遷移設定部３０４は、ＨＤＤやメモリ等の記憶部に設定変更フラグを設定する。
【００３６】
Ｓ９０６において、変更検知部３０９は、画像形成装置内で発生していた障害が解消したか否かを検知する。障害が解消されたことを検知した場合には、Ｓ９０７に処理を進める。Ｓ９０７において、遷移設定部３０４は、設定変更フラグが設定されているか否かを判定する。設定変更フラグが設定されていると判定した場合には、Ｓ９０８に処理を進める。Ｓ９０８において、遷移設定部３０４は、電源状態の遷移設定をスリープ状態に遷移させるよう変更する。Ｓ９０９において、遷移設定部３０４は、記憶部に保存されている設定変更フラグを削除する。
【００３７】
以上示したように、各種設定が変更されたことを検知し、電源状態の遷移設定を動的に変更することで、無駄な消費電力を削減することが可能になる。
【００３８】
＜変形例４＞
電源状態の遷移設定を変更する処理の別の例を説明する。第１の実施形態の変形例４では、オプション機器（例えば、フィニッシャーや標本作製装置等）が接続されたときや各種設定が完了したときに、電源状態の遷移設定を変更する例を説明する。
【００３９】
図１０は、電源状態の遷移設定を変更する処理を示すフローチャートである。
【００４０】
Ｓ１１０１において、接続検知部３１１は、オプション機器等外部機器が接続されたか否かを検知する。接続されたことを検知した場合には、Ｓ１１０２に処理を進める。Ｓ１１０２において、遷移設定部３０４は、現在の電源状態の遷移設定がスリープ状態に遷移するものなのか否かを判定する。スリープ状態に遷移するものであると判定した場合には、Ｓ１１０３に処理を進める。Ｓ１１０３において、遷移設定部３０４は、電源状態の遷移設定をスタンバイ状態に遷移するものに変更する。Ｓ１１０４において、遷移設定部３０４は、ＨＤＤやメモリ等の記憶部に機器装着フラグを設定する。
【００４１】
Ｓ１１０５において、機器管理部３１２は、機器構成情報を取得し、各種必要な設定等を行う。ここで必要な設定が完了した場合には、Ｓ１１０６に処理を進める。Ｓ１１０６において、遷移設定部３０４は、機器装着フラグが設定されているか否かを判定する。機器装着フラグが設定されていると判定した場合には、Ｓ１１０７に処理を進める。Ｓ１１０７において、遷移設定部３０４は、電源状態の遷移設定をスリープ状態に遷移させるよう変更する。Ｓ１１０８において、遷移設定部３０４は、記憶部に保存されている機器装着フラグを削除する。
【００４２】
以上示したように、オプション機器等が接続されたことを検知し、電源状態の遷移設定を動的に変更することで、無駄な消費電力を削減することが可能になる。
【００４３】
＜変形例５＞
電源状態の遷移設定を変更する処理の別の例を説明する。第１の実施形態の変形例５では、ＵＩから電源状態の遷移設定を変更する例を説明する。
【００４４】
ＵＩ制御部３１３が、電源状態の遷移設定画面で設定操作されたことを検知し、遷移設定部３０４が、操作された設定に基づき、電源状態の遷移設定を設定する。図３は、ここで説明した電源状態の遷移設定画面の一例である。ユーザーのスイッチ操作からの電源状態遷移は、本画面での設定値で動作するものとする。ただし、”ＰＷＧ  Ｉｍａｇｉｎｇ  Ｓｙｓｔｅｍ  Ｐｏｗｅｒ  ＭＩＢ”では、Ｃａｌｅｎｄａｒという機能が存在し、これはある定めたタイミングになった時に、画像形成装置の電源状態を定めた電源状態に遷移させることができる。例えば、このＣａｌｅｎｄａｒ機能が設定されていれば、優先的にＣａｌｅｎｄａｒ機能で設定されている電源状態に遷移させることをしてもよい。例えば、ＵＩ画面で設定されている電源状態の遷移設定が電源ＯＦＦからスタンバイ状態に遷移するものであった場合を想定する。ここで、Ｃａｌｅｎｄａｒ機能で始業時間に合わせて毎日０８：３０に電源ＯＦＦからスリープ状態に遷移するように設定されていれば、毎日０８：３０に電源を入れても、スリープ状態に遷移するようになる。
【００４５】
以上示したように、各種機能での設定方法に優先度を設けることで効果的な電源管理を行うことが可能になる。
【００４６】
［第２の実施形態］
第１の実施形態では、電源状態の遷移設定を変更する処理を画像形成装置側で行っていたが、本実施形態では、電源状態の遷移設定を変更する処理を管理装置側で行う例を説明する。尚、システム構成の構成や画像形成装置１００の構成については、第１の実施形態と同様であるので、説明は省略する。
【００４７】
図１３（ａ）は、管理装置１０１の内部構成の一例を示すブロック図である。
【００４８】
管理装置１０２は、ＣＰＵ１３０２、ＲＡＭ１３０３、ＲＯＭ１３０４、外部記憶装置１３０９を備える。ＣＰＵ１３０２は、ＲＯＭ１３０４や外部記憶装置１３０９に記憶された、或いはＬＡＮ１３１３よりダウンロードしたソフトウェアを実行し、システムバス１３１１に接続された各デバイスを総括的に制御する。ＲＡＭ１３０３は、ＣＰＵ１３０２の主メモリあるいはワークエリアなどとして機能する。外部記憶装置１３０９は、ハードディスク（ＨＤ）、フロッピーディスク（ＦＤ）（登録商標）等からなる。外部記憶装置１３０９は、ブートプログラム、オペレーティングシステム、認証サーバ、認証クライアントを含む各種のアプリケーション、データベースデータ、ユーザファイル等を記憶する。さらに管理装置１３０１において、１３０６はキーボードコントローラ（ＫＢＤＣ）であり、キーボード（ＫＢＤ）１３０５や図示しないポインティングデバイスからの入力情報をＣＰＵ１３０２に送る。１３０８はビデオコントローラ（ＶＣ）であり、ＣＲＴやＬＤＣ等からなる表示装置１３０７の表示を制御する。１３１０はディスクコントローラ（ＤＫＣ）であり、外部記憶装置１３０９とのアクセスを制御する。１３１２は通信コントローラ（ＣＯＭＭ  Ｉ／Ｆ）であり、これを介してネットワーク１３１３に接続される。
【００４９】
図１３（ｂ）は、管理装置１０１の機能構成の一例を示すブロック図である。
【００５０】
インターフェース部１４０１は、ネットワーク等を介して、画像形成装置等の外部機器と接続を行う。遷移設定部１４０２は、画像形成装置から電源状態の遷移設定の取得、電源状態の遷移設定の変更指示等を行う。障害検知部１４０３は、画像形成装置から通知される障害発生通知を取得する。障害管理部１４０４は、発生した障害を解消するために、画像形成装置を再起動後、スタンバイ状態まで遷移させる必要があるか否かを判定する。ステータス取得部１４０５は、画像形成装置から障害状況等のステータス情報を取得する。ジョブログ取得部１４０６は、画像形成装置からジョブログを取得する。ジョブログ管理部１４０７は、取得したジョブログの数をカウントしたり、あらかじめ定めている既定値と比較を行ったりする。電力値取得部１４０８は、画像形成装置からＬｉｆｅｔｉｍｅ消費電力を取得する。Ｌｉｆｅｔｉｍｅ消費電力に関しては、実施例３の中で説明している通りである。電力管理部１４０９は、Ｌｉｆｅｔｉｍｅ消費電力とあらかじめ定めている既定値とを比較したりする。
【００５１】
図６は、電源状態の遷移設定を変更する処理を示すフローチャートである。具体的には、障害発生と障害解消の際に、電源状態の遷移設定を変更するフローチャートである。
【００５２】
Ｓ１５０１において、障害検知部１４０３は、画像形成装置から障害発生イベントを受け取ったか否かを判定する。障害発生イベントを取得したと判定した場合には、Ｓ１５０２に処理を進める。Ｓ１５０２において、遷移設定部１４０２は、画像形成装置から電源状態の遷移設定情報を取得する。Ｓ１５０３において、遷移設定部１４０２は、現在の電源状態遷移設定がスリープ
状態に遷移するものなのか否かを判定する。スリープ状態に遷移するものであると判定した場合には、Ｓ１５０４に処理を進める。Ｓ１５０４において、障害管理部１４０４は、Ｓ１５０１で検知した障害が、画像形成装置を再起動後、スタンバイ状態に遷移させる必要がある障害か否かを判定する。スタンバイ状態に遷移させる必要があると判定した場合には、Ｓ１５０５に処理を進める。Ｓ１５０５において、遷移設定部１４０２は、画像形成装置に対して、電源状態遷移設定をスタンバイ状態に遷移させるよう変更指示を通知する。Ｓ１５０６において、遷移設定部１４０２は、ＨＤＤやメモリ等の記憶部に障害発生フラグを設定する。
【００５３】
Ｓ１５０７において、ステータス取得部１４０５は、画像形成装置１００から障害状況等がわかるステータス情報を取得するタイミングか否かの判定を行う。取得するタイミングと判定した場合には、Ｓ１５０８に処理を進める。Ｓ１５０８において、ステータス取得部１４０５は、画像形成装置１００からステータス情報を取得する。Ｓ１５０９において、障害管理部１４０４は、障害が解消したか否かを判定する。障害が解消したと判定した場合には、Ｓ１５１０に処理を進める。Ｓ１５１０において、遷移設定部１４０２は、障害発生フラグが設定されているか否かの判定を行う。設定されていると判定した場合には、Ｓ１５１１に処理を進める。Ｓ１５１１において、遷移設定部１４０２は、画像形成装置１００に対して、電源状態遷移設定をスリープ状態に遷移させるよう変更指示を通知する。Ｓ１５１２において、遷移設定部１４０２は、記憶部に保存されている障害発生フラグを削除する。
【００５４】
尚、画像形成装置１００は、Ｓ１５０５、あるいは、Ｓ１５１１で通知された遷移設定の変更通知に基づいて、遷移設定部３０４で、遷移設定情報を変更し、変更された遷移設定情報を用いて、電源管理部３０３が起動を制御する。
【００５５】
以上示したように、第１の実施形態で示した画像形成装置側での遷移設定の変更処理を、管理装置側でも行えるようになる。
【００５６】
＜変形例１＞
電源状態の遷移設定を変更する処理の別の例を説明する。第２の実施形態の変形例１では、画像形成装置の使用状況によって、電源状態の遷移設定を管理装置１０１で変更する例を説明する。
【００５７】
図１１は、電源状態の遷移設定を変更する処理を示すフローチャートである。
【００５８】
Ｓ１７０１において、ジョブログ取得部１４０６は、画像形成装置１００からジョブログを取得するタイミングか否かを判定する。取得タイミングと判定した場合には、Ｓ１７０２に処理を進める。Ｓ１７０２において、ジョブログ取得部１４０６は、画像形成装置１００からジョブログを取得する。Ｓ１７０３において、ジョブログ管理部１４０７は、取得したジョブログ数をカウントする。
【００５９】
Ｓ１７０４において、ジョブログ管理部１４０７は、記憶部にカウント値が保存されているか否かを確認する。保存されていると判定した場合には、Ｓ１７０５に処理を進める。一方、保存されていないと判定した場合には、Ｓ１７０６に処理を進める。
【００６０】
Ｓ１７０５において、ジョブログ管理部１４０７は、保存されているカウント値と取得したカウント値を合算する。Ｓ１７０６において、ジョブログ管理部１４０７は、カウント値を記憶部に保存する。Ｓ１７０７において、ジョブログ管理部１４０７は、保存されているカウント値とあらかじめ定めている既定値とを比較するタイミングか否かを判定する。比較タイミングと判定した場合には、Ｓ１７０８に処理を進める。Ｓ１７０８において、ジョブログ管理部１４０７は、保存されているカウント値とあらかじめ定めている既定値とを比較する。Ｓ１７０９において、ジョブログ管理部１４０７は、保存されているカウント値が既定値よりも小さいか否かを判定する。既定値よりも小さいと判定した場合には、Ｓ１７１０に処理を進める。既定値よりも大きいと判定した場合には、Ｓ１７１２に処理を進める。
【００６１】
Ｓ１７１０において、遷移設定部１４０２は、現在の電源状態遷移設定がスタンバイ状態に遷移するものなのか否かを判定する。スタンバイ状態に遷移するものであると判定した場合には、Ｓ１７１１に処理を進める。Ｓ１７１１において、遷移設定部１４０２は、電源状態の遷移設定をスリープ状態に遷移するものに変更し、画像形成装置１００に変更を通知する。Ｓ１７１２において、遷移設定部１４０２は、現在の電源状態遷移設定がスリープ状態に遷移するものなのか否かを判定する。スリープ状態に遷移するものであると判定した場合には、Ｓ１７１３に処理を進める。Ｓ１７１３において、遷移設定部１４０２は、電源状態の遷移設定をスタンバイ状態に遷移するものに変更し、画像形成装置１００に変更を通知する。Ｓ１７１４において、ジョブログ管理部１４０７は、記憶部に保存されているカウンタ値を削除する。
【００６２】
尚、画像形成装置１００は、Ｓ１７１１、あるいは、Ｓ１７１３で通知された遷移設定の変更通知に基づいて、遷移設定部３０４で、遷移設定情報を変更し、変更された遷移設定情報を用いて、電源管理部３０３が起動を制御する。
【００６３】
＜変形例２＞
電源状態の遷移設定を変更する処理の別の例を説明する。第２の実施形態の変形例２では、画像形成装置の電力状況によって、電源状態の遷移設定を管理装置で変更する例を説明する。
【００６４】
図１２は、電源状態の遷移設定を変更する処理を示すフローチャートである。
【００６５】
Ｓ１８０１において、電力値取得部１４０８は、画像形成装置１００からＬｉｆｅｔｉｍｅ消費電力の取得タイミングか否かを判定する。取得タイミングと判定した場合には、Ｓ１８０２に処理を進める。Ｓ１８０２において、電力値取得部１４０８は、画像形成装置１００からＬｉｆｅｔｉｍｅ消費電力を取得する。Ｓ１８０３において、電力管理部１４０９は、あらかじめ定めている既定値と取得したＬｉｆｅｔｉｍｅ消費電力を比較する。Ｓ１８０４において、あらかじめ定めている既定値と取得したＬｉｆｅｔｉｍｅ消費電力を比較した結果、取得した値が既定値よりも小さいか否かを判定する。既定値よりも小さいと判定した場合には、Ｓ１８０５に処理を進める。一方、既定値以上と判定した場合には、Ｓ１８０７に処理を進める。
【００６６】
Ｓ１８０５において、遷移設定部１４０２は、現在の電源状態遷移設定がスタンバイ状態に遷移するものなのか否かを判定する。スタンバイ状態に遷移するものであると判定した場合には、Ｓ１８０６に処理を進める。Ｓ１８０６において、遷移設定部１４０２は、電源状態の遷移設定をスリープ状態に遷移するものに変更し、画像形成装置１００に変更を通知する。Ｓ１８０７において、遷移設定部１４０２は、現在の電源状態の遷移設定がスリープ状態に遷移するものなのか否かを判定する。スリープ状態に遷移するものであると判定した場合には、Ｓ１８０８に処理を進める。Ｓ１８０８において、遷移設定部１４０２は、電源状態の遷移設定をスタンバイ状態に遷移するものに変更し、画像形成装置１００に変更を通知する。
【００６７】
尚、画像形成装置１００は、Ｓ１８０６、あるいは、Ｓ１８０８で通知された遷移設定の変更通知に基づいて、遷移設定部３０４で、遷移設定情報を変更し、変更された遷移設定情報を用いて、電源管理部３０３が起動を制御する。
【００６８】
＜その他の実施形態＞
また、本発明は、以下の処理を実行することによっても実現される。即ち、上述した実施形態の機能をソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015229334.tif 000003
【図２】
2015229334.tif 000004
【図３】
2015229334.tif 000005
【図４】
2015229334.tif 000006
【図５】
2015229334.tif 000007
【図６】
2015229334.tif 000008
【図７】
2015229334.tif 000009
【図８】
2015229334.tif 000010
【図９】
2015229334.tif 000011
【図１０】
2015229334.tif 000012
【図１１】
2015229334.tif 000013
【図１２】
2015229334.tif 000014
【図１３】
2015229334.tif 000015